(57)【要約】【課題】キーイングによって映像を合成する映像特殊効果装置において、キーイングのために用いる映像を面倒な操作を行うことなく背景映像のアスペクト比に応じて選択する。【解決手段】各入力ライン４（１）〜４（ｍ）について、４：３，１６：９のいずれの映像が入力するラインであるか記憶する記憶手段１８と、キー選択操作手段２１ａの各ボタンに対応して、入力ライン４（１）〜４（ｍ）のうち４：３，１６：９の背景映像用に夫々選択すべきラインを記憶する記憶手段１９と、背景映像選択スイッチ９で選択された背景映像について記憶手段１８を参照して４：３であるか１６：９であるかのアスペクト情報を取得し、キー選択操作手段２１ａの操作されたボタンに対応して記憶手段１９に記憶されたラインのうち、アスペクト情報が示すアスペクト比の背景映像用のラインの映像をキー映像選択スイッチ７で選択させる制御手段１６とを備える。【選択図】図１
2007325112.tif 000002
【特許請求の範囲】
【請求項１】
キーイングのために用いる映像を加工するキー加工手段と、
前記キー加工手段によって加工された映像を用いて、キーイングによって背景映像に前景映像を重畳する映像合成手段と、
複数の入力ラインの映像から前記映像合成手段に送る背景映像を選択する背景映像選択スイッチと、
複数の入力ラインの映像から前記キー加工手段に送る映像を選択するキー映像選択スイッチと、
前記背景映像選択スイッチを制御するための複数のボタンで構成される背景選択操作手段と、
前記キー映像選択スイッチを制御するための複数のボタンで構成されるキー選択操作手段と
を有する映像特殊効果装置において、
前記背景映像選択スイッチの複数の入力ラインのそれぞれについて、アスペクト比４：３の映像が入力するラインであるかアスペクト比１６：９の映像が入力するラインであるかを記憶するアスペクト記憶手段と、
前記キー選択操作手段の各ボタンに対応して、前記キー映像選択スイッチの複数の入力ラインのうち、アスペクト比４：３の背景映像用に選択すべき入力ラインと、アスペクト比１６：９の背景映像用に選択すべき入力ラインとを記憶するキー選択アスペクト別記憶手段と、
前記背景選択操作手段の操作によって前記背景映像選択スイッチで選択された背景映像について、前記アスペクト記憶手段を参照して、アスペクト比が４：３であるか１６：９であるかを示すアスペクト情報を取得し、前記キー選択操作手段のうちの操作されたボタンに対応して前記キー選択アスペクト別記憶手段に記憶されている入力ラインのうち、前記アスペクト情報が示すアスペクト比の背景映像用に選択すべき入力ラインの映像を前記キー映像選択スイッチで選択させる制御手段と
を備えたことを特徴とする映像特殊効果装置。
【請求項２】
請求項１に記載の映像特殊効果装置において、
前記キー映像選択スイッチは、前記複数の入力ラインの映像から前記キー加工手段に送るキーフィル信号を選択するスイッチと、前記複数の入力ラインの映像から前記キー加工手段に送るキーソース信号を選択するスイッチとの二系統のスイッチから成っており、
前記キー選択アスペクト別記憶手段は、前記キー選択操作手段の各ボタンに対応して、前記キー映像選択スイッチの複数の入力ラインのうち、アスペクト比４：３の背景映像用のキーフィル信号の入力ライン及びキーソース信号の入力ラインと、アスペクト比１６：９の背景映像用のキーフィル信号の入力ライン及びキーソース信号の入力ラインとを記憶し、
前記制御手段は、前記背景選択操作手段の操作によって前記背景映像選択スイッチで選択された背景映像について、前記アスペクト記憶手段を参照して、アスペクト比が４：３であるか１６：９であるかを示すアスペクト情報を取得し、前記キー選択操作手段のうちの操作されたボタンに対応して前記キー選択アスペクト別記憶手段に記憶されている入力ラインのうち、前記アスペクト情報が示すアスペクト比の背景映像のキーフィル信号の入力ライン及びキーソース信号の入力ラインの映像を、前記キー映像選択スイッチの前記二系統のスイッチで選択させる
ことを特徴とする映像特殊効果装置。
【請求項３】
請求項１に記載の映像特殊効果装置において、
前記映像合成手段に複数系統の背景映像を送るために、前記背景映像選択スイッチ，前記背景選択操作手段がそれぞれ複数系統設けられており、
前記制御手段は、前記複数系統の背景映像選択スイッチのうちの１系統の背景映像選択スイッチで選択された背景映像について、前記アスペクト記憶手段を参照して、アスペクト比が４：３であるか１６：９であるかを示すアスペクト情報を取得し、前記キー選択操作手段のうちの操作されたボタンに対応して前記キー選択アスペクト別記憶手段に記憶されている入力ラインのうち、前記アスペクト情報が示すアスペクト比の背景映像用に選択すべき入力ラインの映像を前記キー映像選択スイッチで選択させる
ことを特徴とする映像特殊効果装置。
【請求項４】
請求項３に記載の映像特殊効果装置において、
前記制御手段は、前記複数系統の背景映像選択スイッチのうち、前記映像合成手段の状態によって決まる１系統の背景映像選択スイッチで選択された背景映像について、前記アスペクト記憶手段を参照して、アスペクト比が４：３であるか１６：９であるかを示すアスペクト情報を取得し、前記キー選択操作手段のうちの操作されたボタンに対応して前記キー選択アスペクト別記憶手段に記憶されている入力ラインのうち、前記アスペクト情報が示すアスペクト比の背景映像用に選択すべき入力ラインの映像を前記キー映像選択スイッチで選択させる
ことを特徴とする映像特殊効果装置。
【請求項５】
請求項１に記載の映像特殊効果装置において、
前記キー加工手段と前記キー映像選択スイッチと前記キー選択操作手段との組を複数備えており、
前記制御手段は、前記背景選択操作手段の操作によって前記背景映像選択スイッチで選択された背景映像について、前記アスペクト記憶手段を参照して、アスペクト比が４：３であるか１６：９であるかを示すアスペクト情報を取得し、各々の前記組について、前記キー選択操作手段のうちの操作されたボタンに対応して前記キー選択アスペクト別記憶手段に記憶されている入力ラインのうち、前記アスペクト情報が示すアスペクト比の背景映像用に選択すべき入力ラインの映像を前記キー映像選択スイッチで選択させる
ことを特徴とする映像特殊効果装置。
【請求項６】
請求項１に記載の映像特殊効果装置において、
標準解像度の映像を、高品位解像度の映像にフォーマット変換して前記背景映像選択スイッチに入力させるためのフォーマット変換手段
を備えており、
前記背景映像選択スイッチの複数の入力ラインのそれぞれについて、前記フォーマット変換手段でフォーマット変換した映像を供給する必要があるか否かの情報を記憶した記憶手段を、前記アスペクト記憶手段として共用する
ことを特徴とする映像特殊効果装置。
【請求項７】
キーイングのために用いる映像を加工するキー加工手段と、
前記キー加工手段によって加工された映像を用いて、キーイングによって背景映像に前景映像を重畳する映像合成手段と、
複数の入力ラインの映像から前記映像合成手段に送る背景映像を選択する背景映像選択スイッチと、
複数の入力ラインの映像から前記キー加工手段に送る映像を選択するキー映像選択スイッチと、
前記背景映像選択スイッチを制御するための複数のボタンで構成される背景選択操作手段と、
前記キー映像選択スイッチを制御するための複数のボタンで構成されるキー選択操作手段と
を有する映像特殊効果装置の制御方法において、
前記背景映像選択スイッチの複数の入力ラインのそれぞれについて、アスペクト比４：３の映像が入力するラインであるかアスペクト比１６：９の映像が入力するラインであるかを第１の記憶手段に記憶する第１のステップと、
前記キー選択操作手段の各ボタンに対応して、前記キー映像選択スイッチの複数の入力ラインのうち、アスペクト比４：３の背景映像用に選択すべき入力ラインと、アスペクト比１６：９の背景映像用に選択すべき入力ラインとを第２の記憶手段に記憶する第２のステップと、
前記背景選択操作手段の操作によって前記背景映像選択スイッチで選択された背景映像について、前記第１の記憶手段を参照して、アスペクト比が４：３であるか１６：９であるかを示すアスペクト情報を取得し、前記キー選択操作手段のうちの操作されたボタンに対応して前記第２の記憶手段に記憶されている入力ラインのうち、前記アスペクト情報が示すアスペクト比の背景映像用に選択すべき入力ラインの映像を前記キー映像選択スイッチで選択させる第３のステップと
を有することを特徴とする映像特殊効果装置の制御方法。
【請求項８】
キーイングのために用いる映像を加工するキー加工手段と、
前記キー加工手段によって加工された映像を用いて、キーイングによって背景映像に前景映像を重畳する映像合成手段と、
複数の入力ラインの映像から前記映像合成手段に送る背景映像を選択する背景映像選択スイッチと、
複数の入力ラインの映像から前記キー加工手段に送る映像を選択するキー映像選択スイッチと、
前記背景映像選択スイッチを制御するための複数のボタンで構成される背景選択操作手段と、
前記キー映像選択スイッチを制御するための複数のボタンで構成されるキー選択操作手段と
を有する映像特殊効果装置において、
前記背景映像選択スイッチの複数の入力ラインのそれぞれについて、アスペクト比４：３の映像が入力するラインであるかアスペクト比１６：９の映像が入力するラインであるかを記憶するアスペクト記憶手段と、
前記キー選択操作手段の各ボタンに対応して、アスペクト比４：３の背景映像にキーイングを行うためのパラメータと、アスペクト比１６：９の背景映像にキーイングを行うためのパラメータとを記憶するキー調整値アスペクト別記憶手段と、
前記背景選択操作手段の操作によって前記背景映像選択スイッチで選択された背景映像について、前記アスペクト記憶手段を参照して、アスペクト比が４：３であるか１６：９であるかを示すアスペクト情報を取得し、前記キー選択操作手段のうちの操作されたボタンに対応して前記キー調整値アスペクト別記憶手段に記憶されているパラメータのうち、前記アスペクト情報が示すアスペクト比の背景映像にキーイングを行うためのパラメータで前記キー加工手段に加工を行わせる制御手段と
を備えたことを特徴とする映像特殊効果装置。
【請求項９】
キーイングのために用いる映像を加工するキー加工手段と、
前記キー加工手段によって加工された映像を用いて、キーイングによって背景映像に前景映像を重畳する映像合成手段と、
複数の入力ラインの映像から前記映像合成手段に送る背景映像を選択する背景映像選択スイッチと、
複数の入力ラインの映像から前記キー加工手段に送る映像を選択するキー映像選択スイッチと、
前記背景映像選択スイッチを制御するための複数のボタンで構成される背景選択操作手段と、
前記キー映像選択スイッチを制御するための複数のボタンで構成されるキー選択操作手段と
を有する映像特殊効果装置の制御方法において、
前記背景映像選択スイッチの複数の入力ラインのそれぞれについて、アスペクト比４：３の映像が入力するラインであるかアスペクト比１６：９の映像が入力するラインであるかを第１の記憶手段に記憶する第１のステップと、
前記キー選択操作手段の各ボタンに対応して、アスペクト比４：３の背景映像にキーイングを行うためのパラメータと、アスペクト比１６：９の背景映像にキーイングを行うためのパラメータとを第２の記憶手段に記憶する第２のステップと、
前記背景選択操作手段の操作によって前記背景映像選択スイッチで選択された背景映像について、前記第１の記憶手段を参照して、アスペクト比が４：３であるか１６：９であるかを示すアスペクト情報を取得し、前記キー選択操作手段のうちの操作されたボタンに対応して前記第２の記憶手段に記憶されているパラメータのうち、前記アスペクト情報が示すアスペクト比の背景映像にキーイングを行うためのパラメータで前記キー加工手段に加工を行わせる第３のステップと
を有することを特徴とする映像特殊効果装置の制御方法。
【発明の詳細な説明】
【技術分野】
【０００１】
本発明は、キーイングによって映像を合成する映像特殊効果装置及びその制御方法に関し、特に、アスペクト比４：３と１６：９との２種類の背景映像が入力される映像特殊効果装置及びその制御方法に関する。
【背景技術】
【０００２】
テレビジョン放送局や映像編集の現場においては、エフェクトスイッチャーと呼ばれる映像特殊効果装置を用いて、背景映像（画面を構成する主な映像素材）にキーイングによって他の前景映像を重畳することが広く行われている。
【０００３】
エフェクトスイッチャーの操作パネルのパネル面上には、背景映像を選択するための複数の背景ボタンと、キーイングのために用いる映像を選択するための複数のキーボタンとが配列されている。
【０００４】
本出願人は、既に、各キーボタンに対応させて、選択すべき映像（キーフィル信号とキーソース信号との組合せ）や、キーイングを行うための各種のパラメータ（キーイング属性）を対応させて記憶しておき、いずれかのキーボタンが操作されたことによって、そのキーボタンに対応して記憶した映像を選択する制御や、そのキーボタンに対応して記憶したパラメータでその映像を加工するようにした装置についての発明を提案済みである（特許文献１参照）。
【０００５】
【特許文献１】特開２００２−１８５８５１号公報（段落番号００２１〜００６１、図３〜１１）
【発明の開示】
【発明が解決しようとする課題】
【０００６】
ところで、今日のテレビジョン放送では、ＳＤ(Standard Definition)ＴＶ放送とＨＤ(High Definition)ＴＶ放送とが混在しており、そのためアスペクト比が４：３の映像と１６：９の映像とが混在している。したがって、エフェクトスイッチャーで選択される背景映像にも、アスペクト比が４：３のものと１６：９のものとが存在する。
【０００７】
しかし、上記特許文献１に記載の発明では、背景映像にキーイングによって重畳される前景映像は、背景映像のアスペクト比によらず同じ映像であった。そのため、背景映像のアスペクト比毎に異なる前景映像を重畳したい場合には、現在の背景映像のアスペクト比に応じた映像を手動操作によって選択する必要があった。しかし、背景映像のアスペクト比が切換わるたびにこのような手動操作を行うことは面倒であるとともに、手動操作のタイミングが遅れることによって背景映像のアスペクト比に応じた映像を直ちに選択できないこともあった。
【０００８】
また、上記特許文献１に記載の発明では、キーイングのために用いる映像を、背景映像のアスペクト比毎に適切なパラメータで加工したい場合には、現在の背景映像のアスペクト比に応じて手動操作によってパラメータを変更する必要があった。しかし、背景映像のアスペクト比が切換わるたびにこのような手動操作を行うことは面倒であるとともに、手動操作のタイミングが遅れることによって直ちにパラメータを変更できないこともあった。
【０００９】
本発明は、上述の点に鑑み、キーイングによって映像を合成する映像特殊効果装置において、キーイングのために用いる映像を、面倒な操作を行うことなく、現在の背景映像のアスペクト比に応じて迅速に選択できるようにする（あるいは、キーイングのために用いる映像を加工する際のパラメータを、面倒な操作を行うことなく、現在の背景映像のアスペクト比に応じて迅速に変更できるようにする）ことを課題とする。
【課題を解決するための手段】
【００１０】
この課題を解決するために、本発明に係る映像特殊効果装置は、キーイングのために用いる映像を加工するキー加工手段と、このキー加工手段によって加工された映像を用いて、キーイングによって背景映像に前景映像を重畳する映像合成手段と、複数の入力ラインの映像からこの映像合成手段に送る背景映像を選択する背景映像選択スイッチと、複数の入力ラインの映像からこのキー加工手段に送る映像を選択するキー映像選択スイッチと、この背景映像選択スイッチを制御するための複数のボタンで構成される背景選択操作手段と、このキー映像選択スイッチを制御するための複数のボタンで構成されるキー選択操作手段とを有する映像特殊効果装置において、この背景映像選択スイッチの複数の入力ラインのそれぞれについて、アスペクト比４：３の映像が入力するラインであるかアスペクト比１６：９の映像が入力するラインであるかを記憶するアスペクト記憶手段と、このキー選択操作手段の各ボタンに対応して、このキー映像選択スイッチの複数の入力ラインのうち、アスペクト比４：３の背景映像用に選択すべき入力ラインと、アスペクト比１６：９の背景映像用に選択すべき入力ラインとを記憶するキー選択アスペクト別記憶手段と、この背景選択操作手段の操作によってこの背景映像選択スイッチで選択された背景映像について、このアスペクト記憶手段を参照して、アスペクト比が４：３であるか１６：９であるかを示すアスペクト情報を取得し、このキー選択操作手段のうちの操作されたボタンに対応してこのキー選択アスペクト別記憶手段に記憶されている入力ラインのうち、このアスペクト情報が示すアスペクト比の背景映像用に選択すべき入力ラインの映像をこのキー映像選択スイッチで選択させる制御手段とを備えたことを特徴とする。
【００１１】
また、本発明に係る映像特殊効果装置の制御方法は、キーイングのために用いる映像を加工するキー加工手段と、このキー加工手段によって加工された映像を用いて、キーイングによって背景映像に前景映像を重畳する映像合成手段と、複数の入力ラインの映像からこの映像合成手段に送る背景映像を選択する背景映像選択スイッチと、複数の入力ラインの映像からこのキー加工手段に送る映像を選択するキー映像選択スイッチと、この背景映像選択スイッチを制御するための複数のボタンで構成される背景選択操作手段と、このキー映像選択スイッチを制御するための複数のボタンで構成されるキー選択操作手段とを有する映像特殊効果装置の制御方法において、この背景映像選択スイッチの複数の入力ラインのそれぞれについて、アスペクト比４：３の映像が入力するラインであるかアスペクト比１６：９の映像が入力するラインであるかを第１の記憶手段に記憶する第１のステップと、このキー選択操作手段の各ボタンに対応して、このキー映像選択スイッチの複数の入力ラインのうち、アスペクト比４：３の背景映像用に選択すべき入力ラインと、アスペクト比１６：９の背景映像用に選択すべき入力ラインとを第２の記憶手段に記憶する第２のステップと、この背景選択操作手段の操作によってこの背景映像選択スイッチで選択された背景映像について、この第１の記憶手段を参照して、アスペクト比が４：３であるか１６：９であるかを示すアスペクト情報を取得し、このキー選択操作手段のうちの操作されたボタンに対応してこの第２の記憶手段に記憶されている入力ラインのうち、このアスペクト情報が示すアスペクト比の背景映像用に選択すべき入力ラインの映像をこのキー映像選択スイッチで選択させる第３のステップとを有することを特徴とする。
【００１２】
上記発明によれば、背景選択操作手段の操作によって背景映像選択スイッチでいずれかの入力ラインの映像が背景映像として選択されると、その入力ラインが４：３，１６：９のうちのいずれのアスペクト比の映像が入力するラインであるかを示すアスペクト情報が取得される。そして、キー選択操作手段のいずれかのボタンが操作されると、そのボタンに対応して記憶されている２つの入力ライン（アスペクト比４：３の背景映像用に選択すべき入力ラインと、アスペクト比１６：９の背景映像用に選択すべき入力ライン）のうち、取得したアスペクト情報が示すアスペクト比の背景映像用の入力ラインの映像を選択させる制御がキー映像選択スイッチに対して行われる。
【００１３】
これにより、キーイングのために用いる映像を、面倒な操作を行うことなく、現在の背景映像のアスペクト比に応じて迅速に選択して背景映像に重畳することができる。
【００１４】
次に、本発明に係る別の映像特殊効果装置は、キーイングのために用いる映像を加工するキー加工手段と、このキー加工手段によって加工された映像を用いて、キーイングによって背景映像に前景映像を重畳する映像合成手段と、複数の入力ラインの映像からこの映像合成手段に送る背景映像を選択する背景映像選択スイッチと、複数の入力ラインの映像からこのキー加工手段に送る映像を選択するキー映像選択スイッチと、この背景映像選択スイッチを制御するための複数のボタンで構成される背景選択操作手段と、このキー映像選択スイッチを制御するための複数のボタンで構成されるキー選択操作手段とを有する映像特殊効果装置において、この背景映像選択スイッチの複数の入力ラインのそれぞれについて、アスペクト比４：３の映像が入力するラインであるかアスペクト比１６：９の映像が入力するラインであるかを記憶するアスペクト記憶手段と、このキー選択操作手段の各ボタンに対応して、アスペクト比４：３の背景映像にキーイングを行うためのパラメータと、アスペクト比１６：９の背景映像にキーイングを行うためのパラメータとを記憶するキー調整値アスペクト別記憶手段と、この背景選択操作手段の操作によってこの背景映像選択スイッチで選択された背景映像について、このアスペクト記憶手段を参照して、アスペクト比が４：３であるか１６：９であるかを示すアスペクト情報を取得し、このキー選択操作手段のうちの操作されたボタンに対応してこのキー調整値アスペクト別記憶手段に記憶されているパラメータのうち、このアスペクト情報が示すアスペクト比の背景映像にキーイングを行うためのパラメータでこのキー加工手段に加工を行わせる制御手段とを備えたことを特徴とする。
【００１５】
また、本発明に係る別の映像特殊効果装置の制御方法は、キーイングのために用いる映像を加工するキー加工手段と、このキー加工手段によって加工された映像を用いて、キーイングによって背景映像に前景映像を重畳する映像合成手段と、複数の入力ラインの映像からこの映像合成手段に送る背景映像を選択する背景映像選択スイッチと、複数の入力ラインの映像からこのキー加工手段に送る映像を選択するキー映像選択スイッチと、この背景映像選択スイッチを制御するための複数のボタンで構成される背景選択操作手段と、このキー映像選択スイッチを制御するための複数のボタンで構成されるキー選択操作手段とを有する映像特殊効果装置の制御方法において、この背景映像選択スイッチの複数の入力ラインのそれぞれについて、アスペクト比４：３の映像が入力するラインであるかアスペクト比１６：９の映像が入力するラインであるかを第１の記憶手段に記憶する第１のステップと、このキー選択操作手段の各ボタンに対応して、アスペクト比４：３の背景映像にキーイングを行うためのパラメータと、アスペクト比１６：９の背景映像にキーイングを行うためのパラメータとを第２の記憶手段に記憶する第２のステップと、この背景選択操作手段の操作によってこの背景映像選択スイッチで選択された背景映像について、この第１の記憶手段を参照して、アスペクト比が４：３であるか１６：９であるかを示すアスペクト情報を取得し、このキー選択操作手段のうちの操作されたボタンに対応してこの第２の記憶手段に記憶されているパラメータのうち、このアスペクト情報が示すアスペクト比の背景映像にキーイングを行うためのパラメータでこのキー加工手段に加工を行わせる第３のステップとを有することを特徴とする。
【００１６】
上記発明によれば、背景選択操作手段の操作によって背景映像選択スイッチでいずれかの入力ラインの映像が背景映像として選択されると、その入力ラインが４：３，１６：９のうちのいずれのアスペクト比の映像が入力するラインであるかを示すアスペクト情報が取得される。そして、キー選択操作手段のいずれかのボタンが操作されると、そのボタンに対応して記憶されている２通りのパラメータ（アスペクト比４：３の背景映像にキーイングを行うためのパラメータと、アスペクト比１６：９の背景映像にキーイングを行うためのパラメータ）のうち、取得したアスペクト情報が示すアスペクト比の背景映像用のパラメータで加工を行わせる制御がキー加工手段に対して行われる。
【００１７】
これにより、キーイングのために用いる映像を加工する際のパラメータを、面倒な操作を行うことなく、現在の背景映像のアスペクト比に応じて迅速に変更することができる。
【発明の効果】
【００１８】
本発明によれば、キーイングによって映像を合成する映像特殊効果装置において、キーイングのために用いる映像を、面倒な操作を行うことなく、現在の背景映像のアスペクト比に応じて迅速に選択して背景映像に重畳することができるという効果が得られる。
【００１９】
また本発明によれば、背景映像にキーイングによって映像を重畳する映像特殊効果装置において、キーイングのために用いる映像を加工する際のパラメータを、面倒な操作を行うことなく、現在の背景映像のアスペクト比に応じて迅速に変更することができるという効果が得られる。
【発明を実施するための最良の形態】
【００２０】
次に、本発明の実施形態を、図面を用いて説明する。図１は、本発明を適用したエフェクトスイッチャーの全体構成例を示す図である。このエフェクトスイッチャーでは、主ユニット１と操作パネル２とが、例えばＬＡＮ（ローカルエリアネットワーク）のような通信路３で接続されている。
【００２１】
主ユニット１には、それぞれビデオカメラやＶＴＲ等から映像信号を入力するためのｍ本（ｍは例えば３２以上の整数）の入力ライン４（１）〜４（ｍ）と、２組のミックス／エフェクトバンク（以下単にバンクと呼ぶ）５及び６と、バンク５及び６を制御するマイクロコンピュータ１６とが設けられている（マイクロコンピュータ１６とバンク内の各部とを結ぶ制御信号線は、図示を省略している）。
【００２２】
このエフェクトスイッチャーに入力する映像には、アスペクト比が４：３のものと１６：９のものとが存在するが、各入力ライン４（１）〜４（ｍ）にそれぞれどちらのアスペクト比の映像を入力させるかは、予めエフェクトスイッチャーのセットアップ時に設定されている。
【００２３】
バンク５には、キー映像選択スイッチ７とキー加工回路８とから成る組がｎ組（ｎは２以上の整数）設けられるとともに、背景映像選択スイッチ９と、映像合成回路１０とが設けられている。バンク６にも、同様にして、キー映像選択スイッチ１１とキー加工回路１２とから成る組がｎ組設けられるとともに、背景映像選択スイッチ１３と、映像合成回路１４とが設けられている。
【００２４】
バンク５とバンク６とは、バンク５の映像合成回路１０の出力映像信号はバンク６に入力してキー映像選択スイッチ１１及び背景映像選択スイッチ１３での選択対象となるのに対し、バンク６の映像合成回路１４の出力映像信号は出力ライン１５から主ユニット１の外部に出力されるという点を除いては、構成や動作が共通している。そこで、以下では、代表的にバンク５について構成及び動作を説明し、バンク６についての構成及び動作の説明は省略する。
【００２５】
キー映像選択スイッチ７は、入力ライン４（１）〜４（ｍ）の映像から、キーイングする映像を選択するためのスイッチであり、キーフィル信号（背景映像に前景として重ねる映像自体）を選択するスイッチ７ａと、キーソース信号（キーフィル信号を重ねる領域や、背景映像を切り抜く形状や、背景映像に対するキーフィル信号の濃度を指定する信号）を選択するスイッチ７ｂとで構成されている。
【００２６】
各組のキー映像選択スイッチ７によって選択されたキーフィル信号及びキーソース信号は、同じ組のキー加工回路８に送られる。
【００２７】
キー加工回路８は、このキーフィル信号及びキーソース信号を、キーイングを行うための各種のパラメータであるキー調整値（例えば、背景映像に対するキーフィル信号の濃度を調整する値や、キーソース信号として判別すべき映像の信号レベルの閾値を調整する値や、キーソース信号の位置を調整する値や、キーフィル信号の縮小率を調整する値や、背景映像との境界線に関する調整値等）に基づき、キーイングに適するように調整・加工する回路である。
【００２８】
各組のキー加工回路８によって調整・加工されたキーフィル信号及びキーソース信号は、映像合成回路１０に送られる。
【００２９】
背景映像選択スイッチ９は、入力ライン４（１）〜４（ｍ）の映像から、背景映像を選択するためのスイッチである。背景映像選択スイッチ９によって選択された背景映像は、映像合成回路１０に送られる。
【００３０】
映像合成回路１０は、各組のキー加工回路８からのキーフィル信号及びキーソース信号を用いて、キーイングによって背景映像に前景映像を重畳する回路である。
【００３１】
操作パネル２には、オペレータが操作するためのボタン配置部２１及びパラメータ入力操作部２２がパネル面上に設けられるとともに、マイクロコンピュータ２３が設けられている。
【００３２】
ボタン配置部２１には、主ユニット１の各バンク５，６のキー映像選択スイッチを制御するためのキー選択操作部２１ａと、主ユニット１の各バンク５，６の背景映像選択スイッチを制御するための背景選択操作部２１ｂとが配置されている。
【００３３】
図２は、このボタン配置部２１の外観例を示す図である。バンク５のキー映像選択スイッチ７及びキー加工回路８の組の数ｎと、バンク６のキー映像選択スイッチ１１及びキー加工回路１２の組の数ｎとに対応して、バンク５用のｎ組のキー選択操作部２４と、バンク５用の１組の背景選択操作部２６と、バンク６用のｎ組のキー選択操作部２８と、バンク６用の１組の背景選択操作部３０とが設けられている。
【００３４】
各キー選択操作部２４は、それぞれ、バンク５の１組のキー映像選択スイッチ７を制御して入力ライン４（１）〜４（ｍ）のうちの１つのラインの映像を選択するためのｍ個の押しボタン２５で構成されている。背景選択操作部２６は、バンク５の背景映像選択スイッチ９を制御して入力ライン４（１）〜４（ｍ）のうちの１つのラインの映像を選択するためのｍ個の押しボタン２７で構成されている。
【００３５】
各キー選択操作部２８は、それぞれ、バンク６の１組のキー映像選択スイッチ１１を制御するための（ｍ＋１）個の押しボタン２９（（ｍ＋１）個目はバンク５の出力映像信号を選択するためのもの）で構成されている。背景選択操作部３０は、バンク６の背景映像選択スイッチ１３を制御するための（ｍ＋１）個の押しボタン３１で構成されている。キー選択操作部２４及びキー選択操作部２８が図１のキー選択操作部２１ａに該当し、背景選択操作部２６及び背景選択操作部３０が図１の背景選択操作部２１ｂに該当する。
【００３６】
図１に戻り、パラメータ入力操作部２２は、キーイングを行うための各種のパラメータであるキー調整値を、ＧＵＩ（グラフィカルユーザインタフェース）や回転ダイヤル等によって入力するための操作部である。
【００３７】
マイクロコンピュータ２３は、ボタン配置部２１やパラメータ入力操作部２２の操作に応じて、ボタン配置部２１やパラメータ入力操作部２２の制御（例えば、操作された押しボタンに内蔵されているＬＥＤを点灯させる制御等）を行うとともに、操作内容を示す信号を操作パネル２から通信路３を介して主ユニット１のマイクロコンピュータ１６に送る。
【００３８】
主ユニット１のマイクロコンピュータ１６は、この操作パネル２からの信号に基づいてバンク５やバンク６を制御するが、本発明の特徴として、内部のメモリ１７に、アスペクト記憶部１８の領域と、キー選択アスペクト別記憶部１９の領域と、キー調整値アスペクト別記憶部２０の領域とを設けている。
【００３９】
アスペクト記憶部１８には、入力ライン４（１）〜４（ｍ）のそれぞれについて、エフェクトスイッチャーのセットアップ時の設定内容に基づき、アスペクト比４：３の映像が入力するラインであるかアスペクト比１６：９の映像が入力するラインであるかを示す情報が記憶されている。
【００４０】
図３は、このアスペクト記憶部１８の記憶内容を例示する図である。入力ライン４（１）はアスペクト比４：３の映像が入力するラインであり、入力ライン４（２）はアスペクト比４：３の映像が入力するラインであり、入力ライン４（３）はアスペクト比１６：９の映像が入力するラインであり、入力ライン４（４）はアスペクト比１６：９の映像が入力するラインであり、入力ライン４（５）はアスペクト比４：３の映像が入力するラインであり、…入力ライン４（ｍ）はアスペクト比１６：９の映像が入力するラインであるという情報が記憶されている。
【００４１】
図１に戻り、キー選択アスペクト別記憶部１９には、操作パネル２のボタン配置部２１の各キー選択操作部２４，２８（図２）毎に、個々の押しボタン２５，２９（図２）に対応して、入力ライン４（１）〜４（ｍ）のうち、アスペクト比４：３の背景映像用にキーフィル信号を選択すべき入力ラインと、アスペクト比４：３の背景映像用にキーソース信号を選択すべき入力ラインと、アスペクト比１６：９の背景映像用にキーフィル信号を選択すべき入力ラインと、アスペクト比１６：９の背景映像用にキーソース信号を選択すべき入力ラインとを示す情報が記憶されている。
【００４２】
図４は、或る１つのキー選択操作部についてのキー選択アスペクト別記憶部１９の記憶内容の一部を例示する図である。キー選択操作部の個々の押しボタンに付与されているボタン番号１，２，３，…に対応して、入力ライン４（１）〜４（ｍ）のうち、アスペクト比１６：９の背景映像用にキーフィル信号を選択すべき入力ラインと、アスペクト比１６：９の背景映像用にキーソース信号を選択すべき入力ラインと、アスペクト比４：３の背景映像用にキーフィル信号を選択すべき入力ラインと、アスペクト比４：３の背景映像用にキーソース信号を選択すべき入力ラインとがそれぞれ記憶されている。
【００４３】
キー選択アスペクト別記憶部１９には、例えばエフェクトスイッチャーのセットアップ時に、こうした情報が設定されて記憶されている。なお、各キー選択操作部毎にこうした情報を個別に記憶する代わりに、複数のキー選択操作部についてこうした情報の内容を共通化して設定し、その共通化した情報を、それらの複数のキー選択操作部で共用する情報としてキー選択アスペクト別記憶部１９に記憶するようにしてもよい。
【００４４】
図１に戻り、キー調整値アスペクト別記憶部２０には、操作パネル２のボタン配置部２１の各キー選択操作部２４，２８（図２）の個々の押しボタン２５，２９（図２）に対応して、アスペクト比４：３の背景映像にキーイングを行うためのキー調整値と、アスペクト比１６：９の背景映像にキーイングを行うためのキー調整値とが記憶されている。
【００４５】
図５は、或る１つのキー選択操作部についてのキー調整値アスペクト別記憶部２０の記憶内容の一部を例示する図である。キー選択操作部の個々の押しボタンに付与されているボタン番号１，２，３，…に対応して、アスペクト比４：３の背景映像にキーイングを行うためのキー調整値１〜キー調整値４と、アスペクト比１６：９の背景映像にキーイングを行うためのキー調整値１〜キー調整値４とがそれぞれ記憶されている。
【００４６】
キー調整値１〜キー調整値４は、前述のように、例えば、背景映像に対するキーフィル信号の濃度を調整する値や、キーソース信号として判別すべき映像の信号レベルの閾値を調整する値や、キーソース信号の位置を調整する値や、キーフィル信号の縮小率を調整する値や、背景映像との境界線に関する調整値である。
【００４７】
キー調整値アスペクト別記憶部２０には、例えばエフェクトスイッチャーのセットアップ時に、このキー調整値１〜キー調整値４の値が設定されて記憶されている。なお、その後の操作パネル２のパラメータ入力操作部２２（図１）の操作によってキー調整値アスペクト別記憶部２０の記憶内容が更新されるようにしてもよい。
【００４８】
次に、マイクロコンピュータ１６が、これらのアスペクト記憶部１８，キー選択アスペクト別記憶部１９及びキー調整値アスペクト別記憶部２０を参照して実行する処理について説明する。なお、以下ではバンク５に着目して説明を行うが、バンク６に関する処理も内容は同じである。
【００４９】
図６は、エフェクトスイッチャーの起動時や、その後の操作パネル２の背景選択操作部２６（図２）の操作時に、マイクロコンピュータ１６が実行する処理を示すフローチャートである。この処理では、最初に、背景選択操作部２６で押された押しボタン２７の番号Ｘを取得する（ステップＳ１）。
【００５０】
続いて、アスペクト記憶部１８（図３）を参照して、その番号Ｘの押しボタン２７で選択される入力ラインが、アスペクト比４：３の映像が入力するラインであるかアスペクト比１６：９の映像が入力するラインであるかを示すアスペクト情報を取得する（ステップＳ２）。
【００５１】
続いて、ｎ組のキー映像選択スイッチ７，キー加工回路８（図１）及びキー選択操作部２４（図２）を１組ずつ指定する番号Ｊを１に設定する（ステップＳ３）。そして、Ｊ番目の組のキー選択操作部２４で現在押されている押しボタン２５の番号Ｋを取得する（ステップＳ４）。
【００５２】
続いて、ステップＳ２で取得したアスペクト情報が、アスペクト比４：３，１６：９のいずれの映像が入力するラインであることを示しているかを判断する（ステップＳ５）。４：３であれば、Ｊ番目の組のキー選択操作部２４についてのキー選択アスペクト別記憶部１９の記憶内容（図４に例示したような記憶内容）を参照して、ボタン番号Ｋに対応するアスペクト比４：３の背景映像用の入力ラインの映像を、Ｊ番目の組のキー映像選択スイッチ７で選択させる（ステップＳ６）。
【００５３】
続いて、Ｊ番目の組のキー選択操作部２４についてのキー調整値アスペクト別記憶部２０の記憶内容（図５に例示したような記憶内容）を参照して、ボタン番号Ｋに対応するアスペクト比４：３の背景映像用のキー調整値１〜キー調整値４で、Ｊ番目の組のキー加工回路８にキーフィル信号及びキーソース信号の調整・加工を行わせる（ステップＳ７）。そしてステップＳ１０に進む。
【００５４】
ステップＳ５で１６：９であると判断した場合には、Ｊ番目の組のキー選択操作部２４についてのキー選択アスペクト別記憶部１９の記憶内容（図４に例示したような記憶内容）を参照して、ボタン番号Ｋに対応するアスペクト比１６：９の背景映像用の入力ラインの映像を、Ｊ番目の組のキー映像選択スイッチ７で選択させる（ステップＳ８）。
【００５５】
続いて、Ｊ番目の組のキー選択操作部２４についてのキー調整値アスペクト別記憶部２０の記憶内容（図５に例示したような記憶内容）を参照して、ボタン番号Ｋに対応するアスペクト比１６：９の背景映像用のキー調整値１〜キー調整値４で、Ｊ番目の組のキー加工回路８にキーフィル信号及びキーソース信号の調整・加工を行わせる（ステップＳ９）。そしてステップＳ１０に進む。
【００５６】
ステップＳ１０では、番号Ｊの値がｎに達しているか否かを判断する。ノーであれば、番号Ｊの値を１だけインクリメントし（ステップＳ１１）、ステップＳ４に戻ってステップＳ４〜Ｓ１０の処理を繰り返す。ステップＳ１０でイエスになると、処理を終了する。
【００５７】
図７は、操作パネル２のボタン配置部２１のｎ組のキー選択操作部２４（図２）のうちのいずれか１組のキー選択操作部２４（図６の処理と同じくＪ番目の組のキー選択操作部２４と表現するが、ここではＪは固定された値である）が操作されたときに、マイクロコンピュータ１６が実行する処理を示すフローチャートである。この処理では、最初に、このＪ番目の組のキー選択操作部２４で押された押しボタン２５の番号Ｋを取得する（ステップＳ２１）。また、背景選択操作部２６で現在押されている押しボタン２７の番号Ｘを取得する（ステップＳ２２）。
【００５８】
続いて、アスペクト記憶部１８（図３）を参照して、その番号Ｘの押しボタン２７で選択される入力ラインが、アスペクト比４：３の映像が入力するラインであるかアスペクト比１６：９の映像が入力するラインであるかを示すアスペクト情報を取得する（ステップＳ２３）。そして、取得したアスペクト情報が、アスペクト比４：３，１６：９のいずれの映像が入力するラインであることを示しているかを判断する（ステップＳ２４）。
【００５９】
４：３であれば、Ｊ番目の組のキー選択操作部２４についてのキー選択アスペクト別記憶部１９の記憶内容（図４に例示したような記憶内容）を参照して、ボタン番号Ｋに対応するアスペクト比４：３の背景映像用の入力ラインの映像を、Ｊ番目の組のキー映像選択スイッチ７で選択させる（ステップＳ２５）。
【００６０】
続いて、Ｊ番目の組のキー選択操作部２４についてのキー調整値アスペクト別記憶部２０の記憶内容（図５に例示したような記憶内容）を参照して、ボタン番号Ｋに対応するアスペクト比４：３の背景映像用のキー調整値１〜キー調整値４で、Ｊ番目の組のキー加工回路８にキーフィル信号及びキーソース信号の調整・加工を行わせる（ステップＳ２６）。そして処理を終了する。
【００６１】
ステップＳ２４で１６：９であると判断した場合には、Ｊ番目の組のキー選択操作部２４についてのキー選択アスペクト別記憶部１９の記憶内容（図４に例示したような記憶内容）を参照して、ボタン番号Ｋに対応するアスペクト比１６：９の背景映像用の入力ラインの映像を、Ｊ番目の組のキー映像選択スイッチ７で選択させる（ステップＳ２７）。
【００６２】
続いて、Ｊ番目の組のキー選択操作部２４についてのキー調整値アスペクト別記憶部２０の記憶内容（図５に例示したような記憶内容）を参照して、ボタン番号Ｋに対応するアスペクト比１６：９の背景映像用のキー調整値１〜キー調整値４で、Ｊ番目の組のキー加工回路８にキーフィル信号及びキーソース信号の調整・加工を行わせる（ステップＳ２８）。そして処理を終了する。
【００６３】
次に、このエフェクトスイッチャーにおいて、アスペクト比４：３の背景映像とアスペクト比１６：９の背景映像とに異なる前景映像を重畳する様子について説明する。図８（ａ），（ｅ）は、内容は共通しているがアスペクトは１６：９と４：３というように異なっている背景映像の例である。なお、このエフェクトスイッチャーでは、アスペクト１６：９の映像はそのままの画面比率で出力し、アスペクト４：３の映像は、画面の左右に余白映像を付加することにより画面比率を１６：９に置き換えて出力するものとする。
【００６４】
この図８（ａ），（ｅ）の背景映像に、それぞれ「５／５月曜日」という同じ内容の文字の前景映像を重ねた合成映像を得たいとする。その場合、画面の構成に応じてそれぞれ見栄えの良い合成映像を得るためには、図８（ｄ），（ｈ）のように、アスペクト１６：９の背景映像とアスペクト４：３の背景映像とで「５／５月曜日」という文字の幅や位置を異ならせることが望ましい。
【００６５】
そのためには、図８（ａ）の背景映像には、図８（ｂ）のようなキーソース信号１と図８（ｃ）のようなキーフィル信号１とを用い、他方、図８（ｅ）の背景映像には、図８（ｆ）のようなキーソース信号２と図８（ｇ）のようなキーフィル信号２とを用いる、というように、アスペクト１６：９の背景映像用とアスペクト４：３の背景映像用とに互いに異なるキーフィル信号及びキーソース信号を用いることが必要である。
【００６６】
そこで、キー選択アスペクト別記憶部１９に、同じキー選択操作部（図２）の同じ押しボタンに対応して、アスペクト比４：３の背景映像用に図８（ｇ）のキーフィル信号２を選択すべき入力ラインと、アスペクト比４：３の背景映像用に図８（ｆ）のキーソース信号２を選択すべき入力ラインと、アスペクト比１６：９の背景映像用に図８（ｃ）のキーフィル信号１を選択すべき入力ラインと、アスペクト比１６：９の背景映像用に図８（ｂ）のキーソース信号１を選択すべき入力ラインとを示す情報を記憶すれば、図８（ａ），（ｅ）の背景映像から、それぞれ図８（ｄ），（ｈ）のように見栄え良く「５／５月曜日」という文字を重畳した合成映像を得ることができる。
【００６７】
図９（ｄ），（ｈ）は、図８（ａ），（ｅ）に示したアスペクト比１６：９，４：３の背景映像に、それぞれ画面の構成に応じて見栄え良く枠の前景映像を重畳した合成映像を示す。こうした合成映像を得るための一つの方法としては、図８（ｂ），（ｃ），（ｅ），（ｆ）に示したのと全く同様に、図８（ａ）の背景映像と図８（ｅ）の背景映像とに互いに異なるキーフィル信号及びキーソース信号を用いるという方法がある（図９には、図８（ａ），図８（ｅ）の背景映像用のキーフィル信号のみをそれぞれ図９（ｃ），（ｇ）にキーフィル信号３，４として示しているが、図８（ａ），図８（ｅ）の背景映像用のキーソース信号としても、それぞれこのキーフィル信号３，４と同様の（枠のある部分のみの）信号を用いればよい）。
【００６８】
しかし、例えば、図９（ｃ）のようなキーフィル信号３（及びそれと同様のキーソース信号）はこのエフェクトスイッチャーに入力するが、図９（ｇ）のようなキーフィル信号４（及びそれと同様のキーソース信号）はこのエフェクトスイッチャーに入力しないような場合もあり得る。その場合には、主ユニット１のキー加工回路（バンク５ではキー加工回路８、バンク６ではキー加工回路１２）（図１）で、図９（ｃ）のキーフィル信号３（及びそれと同様のキーソース信号）をデジタル処理によって横縦比が４：３になるように水平方向に縮小すれば、図９（ｇ）のキーフィル信号４（及びそれと同様のキーソース信号）を得ることができる（映像を水平方向に縮小する技術については、広く知られているので説明を省略する。）
【００６９】
そこで、キー調整値の一つとして、キーフィル信号及びキーソース信号の水平方向の縮小率を調整する値を含めるとともに、キー調整値アスペクト別記憶部２０に、同じキー選択操作部（図２）の同じ押しボタンに対応して、アスペクト比４：３の背景映像の場合にはキーフィル信号及びキーソース信号を横縦比が４：３になるように水平方向に縮小させ、アスペクト比１６：９の背景映像の場合にはキーフィル信号及びキーソース信号を水平方向に縮小させないキー調整値を記憶すれば、図９（ｃ）のようなキーフィル信号３（及びそれと同様のキーソース信号）のみを用いて、それぞれ図９（ｄ），（ｈ）のように見栄え良く枠を重畳した合成映像を得ることができる。
【００７０】
以上に説明したように、このエフェクトスイッチャーによれば、背景選択操作部（バンク５では背景選択操作部２６、バンク６では背景選択操作部３０）の操作によって背景映像選択スイッチ（バンク５では背景映像選択スイッチ９、バンク６では背景映像選択スイッチ１３）で入力ライン４（１）〜４（ｍ）のうちのいずれかのラインの映像が背景映像として選択されると、その入力ラインが４：３，１６：９のうちのいずれのアスペクト比の映像が入力するラインであるかを示すアスペクト情報がアスペクト記憶部１８から取得される。そして、キー選択操作部（バンク５ではキー選択操作部２４、バンク６ではキー選択操作部２８）のいずれかのボタンが操作されると、そのボタンに対応してキー選択アスペクト別記憶部１９に記憶されている２つの入力ライン（アスペクト比４：３の背景映像用に選択すべき入力ラインと、アスペクト比１６：９の背景映像用に選択すべき入力ライン）のうち、取得したアスペクト情報が示すアスペクト比の背景映像用の入力ラインの映像を選択させる制御がキー映像選択スイッチ（バンク５ではキー映像選択スイッチ７、バンク６ではキー映像選択スイッチ１１）に対して行われる。
【００７１】
これにより、キーイングのために用いる映像を、面倒な操作を行うことなく、現在の背景映像のアスペクト比に応じて迅速に選択して背景映像に重畳することができる。
【００７２】
また、このエフェクトスイッチャーによれば、キー選択操作部（バンク５ではキー選択操作部２４、バンク６ではキー選択操作部２８）のいずれかのボタンが操作されると、そのボタンに対応してキー調整値アスペクト別記憶部２０に記憶されている２通りのキー調整値（アスペクト比４：３の背景映像にキーイングを行うためのキー調整値と、アスペクト比１６：９の背景映像にキーイングを行うためのキー調整値）のうち、取得したアスペクト情報が示すアスペクト比の背景映像用のパラメータで加工を行わせる制御がキー加工回路（バンク５ではキー加工回路８、バンク６ではキー加工回路１２）に対して行われる。
【００７３】
これにより、キーイングのために用いる映像を加工する際のキー調整値（パラメータ）を、面倒な操作を行うことなく、現在の背景映像のアスペクト比に応じて迅速に変更することができる。このほか、背景映像のアスペクト比に応じて変更するキー調整値としては、もちろん全てのキー調整値が対象となるが、例えば、背景映像のアスペクト比に応じてキーの濃度を変えることにより、画面の四隅に入るロゴ・模様等を、アスペクト比４：３の場合は画面の四隅を避けて（アスペクト比４：３のＳＤフォーマットの規格制定当時には映像表示手段として一般にＣＲＴが使用されていたが、ＣＲＴには画面の隅に映像を表示しきれないという特性がある）明瞭に表示することができる。あるいは、キー映像の中で、もともと濃度が薄い部分を、背景映像のアスペクト比に応じて、表示しないように調整することもできる。
【００７４】
次に、以上に説明したエフェクトスイッチャーの構成の変更例について説明する。最初に、映像合成回路に複数系統の背景映像を送る場合の変更例について説明する。図１０は、図１のバンク５を例にとって、２系統の背景映像選択スイッチ５１Ａ及び５１Ｂを設け、これらの背景映像選択スイッチ５１Ａ及び５１Ｂで選択した２系統の背景映像を映像合成回路５２に送るようにした例を示す（バンク５以外の部分は図示を省略するとともに、図１と共通する部分には同一符号を付している）。映像合成回路５２は、図１の映像合成回路１０と同じくキーイングを行うことに加えて、背景映像選択スイッチ５１Ａ及び５１Ｂからの２系統の背景映像に対して、例えばワイプのような切り換え・合成処理を施す。
【００７５】
図１１は、図１０のようにバンク５に２系統の背景映像選択スイッチ５１Ａ及び５１Ｂを設けた場合の、ボタン配置部２１の外観例を示す図である（バンク５用の操作部のみを示すとともに、図２と共通する部分には同一符号を付している）。バンク５用のｎ組のキー選択操作部２４と、バンク５用の２組の背景選択操作部５３Ａ及び５３Ｂとが設けられている。背景選択操作部５３Ａは、背景映像選択スイッチ５１Ａを制御するためのｍ個の押しボタン５４で構成され、背景選択操作部５３Ｂは、背景映像選択スイッチ５１Ｂを制御するためのｍ個の押しボタン５５で構成されている。
【００７６】
このように１つのバンクについて背景映像選択スイッチ，背景選択操作部がそれぞれＡ，Ｂの２系統設けられている場合（３系統以上設けられている場合も同じである）、図６に示した処理のステップＳ２や図７に示した処理のステップＳ２３では、どの系統の背景映像選択スイッチで選択された入力ラインについてのアスペクト情報を取得するかが問題となる。
【００７７】
そこで、こうした場合には、次の（１）〜（３）のうちのいずれかの方法を用いるようにすればよい。
（１）図６のステップＳ１や図７のステップＳ２２で、常に或る固定した１系統の背景選択操作部の押しボタンの番号Ｘを取得することにより、その系統の背景映像選択スイッチで選択された入力ラインについてのアスペクト情報を図６のステップＳ２や図７のステップＳ２３で取得する。
【００７８】
（２）図６のステップＳ１や図７のステップＳ２２で、映像合成回路の状態によって決まる１系統の背景選択操作部の押しボタンの番号Ｘを取得することにより、その系統の背景映像選択スイッチで選択された入力ラインについてのアスペクト情報を図６のステップＳ２や図７のステップＳ２３で取得する。
【００７９】
この（２）の方法は、さらに次の（２−１），（２−２）の２つの方法に分けることができる。
（２−１）映像合成回路から出力される映像に１系統の背景映像のみが含まれている場合には、その系統の背景選択操作部の押しボタンの番号Ｘを図６のステップＳ１や図７のステップＳ２２で取得する。例えば、図１０及び図１１の例において、映像合成回路１０の出力映像に、背景映像選択スイッチ５１Ａで選択された背景映像は含まれているが背景映像選択スイッチ５１Ｂで選択された背景映像は含まれていない場合には、背景選択操作部５３Ａの押しボタン５４の番号Ｘを取得し、逆に、その出力映像に背景映像選択スイッチ５１Ｂで選択された背景映像は含まれているが背景映像選択スイッチ５１Ａで選択された背景映像は含まれていない場合には、背景選択操作部５３Ｂの押しボタン５５の番号Ｘを取得する。
（２−２）映像合成回路の出力映像に２系統以上の背景映像が含まれている場合には、その直前に単独で含まれていた背景映像の系統の背景選択操作部の押しボタンの番号Ｘを図６のステップＳ１や図７のステップＳ２２で取得する。例えば、図１０及び図１１の例において、映像合成回路１０の出力映像に、背景映像選択スイッチ５１Ａで選択された背景映像と背景映像選択スイッチ５１Ｂで選択された背景映像との両方が含まれているが、その直前にはその出力映像に背景映像選択スイッチ５１Ａで選択された背景映像のみが含まれていた場合には、背景選択操作部５３Ａの押しボタン５４の番号Ｘを取得する。
【００８０】
（３）図６のステップＳ１や図７のステップＳ２２で、全ての系統の背景選択操作部の押しボタンの番号Ｘを取得する。図６のステップＳ２や図７のステップＳ２３では、この取得結果に基づき、まず、全ての系統の背景映像選択スイッチで選択された入力ラインについてのアスペクト情報を取得する。そして、少なくとも１つの入力ラインについてのアスペクト情報が、アスペクト比１６：９の映像が入力するラインであることを示すものであれば、アスペクト比１６：９の映像が入力するラインであることを示すアスペクト情報を取得したものとして扱う。他方、全ての入力ラインについてのアスペクト情報が、アスペクト比４：３の映像が入力するラインであるかことを示すものであれば、アスペクト比４：３の映像が入力するラインであることを示すアスペクト情報を取得したものとして扱う。
【００８１】
次に、標準解像度の映像信号（以下ＳＤ映像と呼ぶ）を、高品位解像度の映像信号（以下ＨＤ映像と呼ぶ）にフォーマット変換して背景映像選択スイッチに入力させる場合の変更例について説明する。図１２は、図１のエフェクトスイッチャーの入力ライン４（１）〜４（ｍ）の途中にフォーマットコンバータ６１を設けた例を示す（図１と共通する部分には同一符号を付している）。
【００８２】
フォーマットコンバータ６１は、入力ライン４（１）〜４（ｍ）のうち、ビデオカメラやＶＴＲ等からＳＤ映像が送られる入力ラインについては、そのＳＤ映像をアスペクト比は４：３のままのＨＤ映像にフォーマット変換し、他方、ビデオカメラやＶＴＲ等からＨＤ映像が送られる入力ラインについては、フォーマット変換を行うことなくそのＨＤ映像をそのまま出力する。これにより、フォーマットコンバータ６１の後段の回路では、映像信号に対する処理を全て共通したサンプリング周波数（ＨＤ映像のサンプリング周波数）で行うことができる。
【００８３】
この場合、マイクロコンピュータ１６がフォーマットコンバータ６１を制御するためには、入力ライン４（１）〜４（ｍ）のそれぞれについて、ＳＤ映像が入力するライン（フォーマット変換が必要なライン）であるかＨＤ映像が入力するライン（フォーマット変換が不要なライン）であるかを示す情報が必要である。
【００８４】
ところで、ＳＤ映像，ＨＤ映像はそれぞれアスペクト比が４：３，１６：９なので、このフォーマットコンバータ６１を制御するための情報は、図１のアスペクト記憶部１８に記憶させる情報（入力ライン４（１）〜４（ｍ）のそれぞれについて、アスペクト比４：３の映像が入力するラインであるかアスペクト比１６：９の映像が入力するラインであるかを示す情報）と内容は共通している。
【００８５】
そこで、図１２に示すように、マイクロコンピュータ１６内のメモリに、アスペクト記憶部１８の領域を設ける代わりに、フォーマット変換制御記憶部６２の領域を設け、このフォーマット変換制御記憶部６２に、入力ライン４（１）〜４（ｍ）のそれぞれについて、ＳＤ映像が入力するラインであるかＨＤ映像が入力するラインであるかを示す情報を記憶する。そして、このフォーマット変換制御記憶部６２の記憶情報を用いてフォーマットコンバータ６１を制御するとともに、このフォーマット変換制御記憶部６２を図６の処理のステップＳ２や図７の処理のステップＳ２３でアスペクト記憶部１８として参照する。
【００８６】
これにより、メモリの使用領域を節約することができるとともに、共通した内容の設定を重複して行う手間を省略することができる。
【００８７】
なお、図１２に示した変更例に対するさらに別の変更例として、マイクロコンピュータ１６内のメモリにアスペクト記憶部１８，フォーマット変換制御記憶部６２のいずれの領域も設けず、フォーマットコンバータ６１の前段に各入力ライン４（１）〜４（ｍ）への入力映像信号のフォーマット（ＳＤ映像であるかＨＤ映像であるか）を判定するフォーマット判定回路を設け、そのフォーマット判定回路の判定結果に従ってフォーマットコンバータ６１を制御するとともに、その判定結果に基づいて図６の処理のステップＳ２や図７の処理のステップＳ２３でアスペクト情報を取得するようにしてもよい。
【図面の簡単な説明】
【００８８】
【図１】本発明を適用したエフェクトスイッチャーの全体構成例を示す図である。
【図２】図１のボタン配置部の外観例を示す図である。
【図３】図１のアスペクト記憶部の記憶内容の一部を例示する図である。
【図４】図１のキー選択アスペクト別記憶部の記憶内容の一部を例示する図である。
【図５】図１のキー調整値アスペクト別記憶部の記憶内容の一部を例示する図である。
【図６】背景選択操作部の操作時等に図１のマイクロコンピュータが実行する処理を示すフローチャートである。
【図７】キー選択操作部の操作時に図１のマイクロコンピュータが実行する処理を示すフローチャートである。
【図８】アスペクト比４：３の背景映像とアスペクト比１６：９の背景映像とに異なる前景映像を重畳する様子を例示する図である。
【図９】アスペクト比４：３の背景映像とアスペクト比１６：９の背景映像とに異なる前景映像を重畳する様子を例示する図である。
【図１０】本発明を適用したエフェクトスイッチャーの構成の変更例を示す図である。
【図１１】図１０の変更例におけるボタン配置部の外観例を示す図である。
【図１２】本発明を適用したエフェクトスイッチャーの構成の変更例を示す図である。
【符号の説明】
【００８９】
１  主ユニット、  ２  操作パネル、  ３  通信路、  ４（１）〜４（ｍ）  入力ライン、  ５，６  バンク、  ７  キー映像選択スイッチ、  ８  キー加工回路、  ９    背景映像選択スイッチ、  １０  映像合成回路、   １６  マイクロコンピュータ、  １８  アスペクト記憶部、  １９  キー選択アスペクト別記憶部、  ２０  キー調整値アスペクト別記憶部、  ２１  ボタン配置部、  ２２  パラメータ入力操作部、  ２３  マイクロコンピュータ、  ２４  キー選択操作部、  ２５  押しボタン、  ２６  背景選択操作部、  ２７  押しボタン
【図１】
2007325112.tif 000003
【図２】
2007325112.tif 000004
【図３】
2007325112.tif 000005
【図４】
2007325112.tif 000006
【図５】
2007325112.tif 000007
【図６】
2007325112.tif 000008
【図７】
2007325112.tif 000009
【図８】
2007325112.tif 000010
【図９】
2007325112.tif 000011
【図１０】
2007325112.tif 000012
【図１１】
2007325112.tif 000013
【図１２】
2007325112.tif 000014